(57)【要約】【課題】  従来の雨水排水システムでは雨水排水立管内を満流にて流れることはほとんどなく、この立管内壁を伝わる程度の流れの場合が多かったところ、本発明はこれを改良し、雨量の少ない場合であっても雨水排水立管内に満流流れを生じさせるサイホン起動装置を提供することを目的とするものである。【解決手段】  雨水を溜める容器と、先端が容器の底近くに配置され、容器の頂部近くにて折り返されたパイプと、このパイプの他端が雨水排水立管に接続されたことを特徴とする雨水排水立管用サイホン起動装置。１‥雨水排水軒樋、２‥雨水排水立管、３‥容器、３ａ‥容器の底部、４‥パイプ、５‥パイプ先端、６‥パイプ折り返し部、７‥パイプ他端、８‥容器内の垂下パイプ、Ｈ‥雨水流出範囲。【選択図】図１
2005256406.tif 000002
【特許請求の範囲】
【請求項１】
雨水を溜める容器と、先端が容器の底近くに配置され、容器の頂部近くにて折り返されたパイプと、このパイプの他端が雨水排水立管に接続されたことを特徴とする雨水排水立管用サイホン起動装置。
【請求項２】
雨水を溜める容器が雨水排水軒樋或いはル−フドレンに接続した請求項１記載の雨水排水立管用サイホン起動装置。
【請求項３】
パイプの先端から折り返された部位の間の雨水量が雨水排水立管内を満流流れを引き起こす請求項１記載の雨水排水立管用サイホン起動装置。
【発明の詳細な説明】
【技術分野】
【０００１】
本発明は雨水排水立管にサイホン流れをもたらす起動装置に係るものである。
【背景技術】
【０００２】
一般的な雨水排水システムは、屋根などに降った雨水を開渠流れとして雨水排水立管に導き自然流下させる。このため、排水処理能力は設計負荷とする豪雨時の降雨量を設計目標に計画し排水管径を設定する。通常、毎時５０〜１００（ｍｍ／ｈ）の大降雨量を設計用負荷とする。
【０００３】
そして、通常では戸建住宅の雨水排水立管は管径５０ｍｍで統一され、対象の屋根面積に対して雨水排水立管の設置本数で対応する。しかるに、降雨特性を参照すれば、降雨当たりの時間雨量は数ミリ以下の少雨量降雨の頻度が高く、少雨量降雨時の雨水排水立管容量の余裕は１０〜２０倍となる。その結果、大部分の降雨時の雨水排水立管内の流れはこの立管の内壁を伝わる程度の緩い流れであり、内壁面に対して掃流力の低い流れの繰り返しとなる。
【０００４】
これを年間を通して考えれば、台風や集中豪雨時の時には雨水排水立管を流れる水が満流に近く、この立管の内壁に対して掃流力ある排水流れとなるが、この頻度は少なく、かかる立管内壁への砂塵等の付着を除去する自浄力が追い付かない実態がある。
【０００５】
一方、主として生活排水に採用される排水システムとして、排水横管内の流体を満流流れとし、いわゆるサイホン流れとして従来技術の改良をしようとするものがある（特許文献１）。
【０００６】
【特許文献１】特開２０００−２９７４４７号公報
【０００７】
かかる特許文献１に記載のサイホン流れの特徴は、例えば各階を貫く排水立管と、各階の水周り器具から導かれる排水横管と、排水立管へこれを直接接続する継手とからなる排水システムであって、前記継手のレベルを排水横管のレベルより下げ、排水横管内の流体をサイホン流れとなし垂直速度成分を十分に付与してから排水立管内の流体に合流させる排水システムである。
【０００８】
本発明は、かかる排水システムにおけるサイホン流れのシステムを雨水排水立管に利用しようとするものである。
【発明の開示】
【発明が解決しようとする課題】
【０００９】
上記したように、従来の雨水排水システムでは雨水排水立管内を満流にて流れることはほとんどなく、この立管内壁を伝わる程度の流れの場合が多かったところ、本発明はこれを改良し、雨量の少ない場合であっても雨水排水立管内に満流流れを生じさせるサイホン起動装置を提供することを目的とするものである。
【００１０】
本発明は以上の課題を達成するためになされたものであり、その要旨は雨水を溜める容器と、先端が容器の底近くに配置され、容器の頂部近くにて折り返されたパイプと、このパイプの他端が雨水排水立管に接続されたことを特徴とする雨水排水立管用サイホン起動装置である。
【発明の効果】
【００１１】
本発明によれば、通常では満流流れにならない雨水をかかる装置によって通常は間欠的に満流流れをもたらすこととなったものであり、これによって雨水排水立管内壁にこびりついてしまうごみや砂塵等を洗浄することができるようになったものであり、いわゆるメンテナンスフリ−な排水システムを提供できたものである。
【発明を実施するための最良の形態】
【００１２】
上記したように、降雨特性から雨水排水立管内を満流流れとならない少量降雨の場合が圧倒的であり、この立管の内壁を多少流れる程度ではかえって砂塵やごみ等が壁面に留まってこれがこびりついてしまうような状態が圧倒的であった。本発明は降雨負荷に見合う処理能力は当然であるが、満流流れが期待できない降雨の場合でも雨水排水立管内に間欠的に満流流れの発生をもたらすようにした排水システムである。
【００１３】
そして、雨水を溜める容器が雨水排水軒樋或いはル−フドレンに接続される。そして、容器内に先端が容器のできるだけ底面側に配置し、容器の滞留高さ近傍の位置で折り返されてなるパイプを配備したものであり、これによってサイホン現象がもたらされるものである。即ち、容器内には雨水が徐々に溜められ、やがて雨水の量が折り返し位置にまで溜るとパイプ内にてサイホン現象がもたらされ、この間の雨水が一気に雨水排水立管に流出する（満流流れの発生）ものであって、例え雨量の少ない場合でも効果的に容器内に溜められてこれが間欠式に満流流れをもたらす装置となったものである。尚、容器、パイプの形状や材質は特に限定されるものではないが、容器にあっては縦長の形状をしているものがよい。
【００１４】
言い換えれば、雨水排水軒樋或いはル−フドレンに雨水を溜める容器が接続され、この容器内に配置されたパイプに雨水排水立管を接続するものであって、この容器内にて満水状態になるとサイホン流れを起こし、少ない降雨時でも管内の最大排水流量を確保し、雨水排水立管内壁に対する自浄力を維持して管閉塞の防止又はメンテナンス洗浄周期の長いシステムとしたものである。
【実施例】
【００１５】
以下、本発明の雨水排水立管用サイホン起動装置を更に図面をもって説明すると、図１はこの装置の概念図であって、１は雨水排水軒樋であり、２は雨水排水立管（管径２０ｍｍ）である。そして、この雨水排水軒樋１にペットボトル程度の大きさの容器３が接続され、雨水排水軒樋１に流入した雨水がこの容器３内に溜るようになっている。
【００１６】
この容器３内にはパイプ４が挿入されており、その先端５は容器３内の雨水が溜る空間のできるだけ底に近い位置に配置される。一方、同様に雨水が溜る空間のできるだけ頂上部に近い位置でパイプ４の折り返し部６を形成したものであり、そして、パイプ４の他端７は雨水排水立管２に接続されている。
【００１７】
このように配置された構成にあって、雨水が垂下するパイプ８を通って容器３内に溜ることとなるが、その高さがパイプ４の折り返し部６に達すると、パイプ４内にサイホン現象がもたらされ、高さＨの分だけの雨水が一気に雨水排水立管２内を満流流れとなって流下することになり、これによって立管２の内壁にこびりついたごみ等が排除される効果をもたらすものである。
【００１８】
尚、パイプ８はできるだけ容器３の底部３ａに近付けて配置するのがよく、これによって容器３内に堆積しがちな微細な塵等が流れ込む雨水によって舞い上がり、これをサイホン現象によって流し去ることができることとなったものである。この効果を更に特徴付けるために、容器３の底部３ａが平坦であるよりも、図示するように丸みを帯びているのがよい。この丸みの形成は、立管２に逆流する水をもって容器３中を効果的に洗浄可能としたものである。
【００１９】
尚、雨水排水立管２は従来の立管と異なり、比較的細いものでよく、例えば管径が２０ｍｍ程度のもので十分であり、かかる立管２を外壁内に隠蔽してしまうことも可能であり、デザイン上からも好ましい形態となるものである。
【産業上の利用可能性】
【００２０】
本発明の雨水排水立管用サイホン起動装置を採用すれば、頻度の高い少雨量降雨時でも、雨水排水軒樋或いはル−フドレンに接続した容器内に雨水を溜水することにより、通常では雨水排水立管に流れる連続少流量流れを、設計最大排水能力時と同等の満流間欠流れに変換し、雨水に掃流力を与えかかる立管の詰まりを予防するもので、戸建て住宅への適用もマンション等のル−フドレンにも適用可能であり、その利用範囲は極めて広い。
【図面の簡単な説明】
【００２１】
【図１】図１は本発明の雨水排水立管用サイホン起動装置の概念図である。
【符号の説明】
【００２２】
１‥雨水排水軒樋、
２‥雨水排水立管、
３‥容器、
３ａ‥容器の底部、
４‥パイプ、
５‥パイプ先端、
６‥パイプ折り返し部、
７‥パイプ他端、
８‥容器内の垂下パイプ、
Ｈ‥雨水流出範囲。
【図１】
2005256406.tif 000003